(57)【特許請求の範囲】
【請求項１】
１又は複数の単電池からなる単位電池を複数接続して形成された組電池を有するスタックアッシーに、
前記スタックアッシーと電池ケースとの間に固定されるブラケットを、組み付ける組み付け方法であって、
前記スタックアッシーの下面の一端部の所定位置に第一のブラケットを位置決めして配置し、
治具に対して第二のブラケットを保持させるとともに、前記スタックアッシーに対して前記治具を位置決めして保持させることにより、前記スタックアッシーの下面の他端部の所定位置に第二のブラケットを位置決めして配置し、かつ、前記治具を前記第一のブラケットの前記スタックアッシーの位置する面と反対側の面に当接させた状態で、前記スタックアッシーの下面に前記第一および第二のブラケットを締結する、
ことを特徴とするブラケットの組み付け方法。
【請求項２】
前記治具は、
磁石により構成される保持手段を備え、
前記スタックアッシーを、前記保持手段で磁着することにより、
前記治具を前記スタックアッシーに対して位置決めして保持させる、
ことを特徴とする請求項１に記載のブラケットの組み付け方法。
【請求項３】
前記治具は、
前記第二のブラケットを保持するための位置決めピンを備え、
前記第二のブラケットに形成された孔に前記位置決めピンを挿通することにより、
前記第二のブラケットを前記治具に対して位置決めして保持させる、
ことを特徴とする請求項１または請求項２に記載のブラケットの組み付け方法。
【請求項４】
１又は複数の単電池からなる単位電池を複数接続して形成された組電池を有するスタックアッシーに、前記スタックアッシーと電池ケースの間に固定されるブラケットを組み付けるための組み付け用治具であって、
前記スタックアッシーの所定位置に固着可能な手段である保持手段と、
前記保持手段が、前記スタックアッシーの所定位置に位置決めして固着されている状態において、
前記スタックアッシーの下面の一端部において位置決めして配置された第一のブラケットの前記スタックアッシーが位置する面と反対側の面に当接する部位である当接部と、
前記スタックアッシーの下面の他端部において第二のブラケットを位置決めしつつ、保持するための部位である位置決め部と、
を備える、
ことを特徴とする組み付け用治具。
【請求項５】
前記保持手段は、
磁石により構成され、
前記スタックアッシーの所定位置を磁着することにより、前記スタックアッシーに固着される、
ことを特徴とする請求項４に記載の組み付け用治具。
【請求項６】
前記位置決め部は、
ボールプランジャを有する位置決めピンにより構成され、
前記第二のブラケットに形成された孔に挿通することにより、前記第二のブラケットを保持する、
ことを特徴とする請求項４または請求項５に記載の組み付け用治具。
【発明の詳細な説明】
【技術分野】
【０００１】
本発明は、電池パックにおけるロアケースの固定に用いられるブラケットの組み付け方法およびその組み付け用治具の技術に関する。
【背景技術】
【０００２】
ハイブリッド自動車や電気自動車等の車両に搭載される電池パックは、１又は複数の単電池からなる単位電池（電池モジュール）を複数連結して所定の容量を確保した組電池（スタック）を備えており、当該スタックを一対のエンドプレートにより挟持してアッシー（以下、スタックアッシーと呼ぶ）を構成している。そして、当該スタックアッシー等を電池ケースに収容して電池パックを構成するのが一般的である。また、当該電池ケースは、スタックアッシーを載置するロアケースと、スタックアッシーを覆うアッパーケースとからなり、スタックアッシーはロアケースに締結されている。
【０００３】
スタックアッシーとロアケースを締結する作業において、スタックアッシーは、作業者の作業姿勢を適正化するべく、当該スタックアッシーにおけるロアケースを締結する側の下面を、側方（作業者と相対する方向）に向けて、作業のしやすい角度に適宜前傾させた状態で配置するのが好適である。
そして、ロアケースを、当該スタックアッシーにおける側方に向けられた面（下面）に位置決めして、ロアケースとスタックアッシーとのボルト孔を一致させた後に、ロアケース側からスタックアッシー側に向けてボルトを差し込んで、両部材を締結するようにしている。
そしてこの作業を行う場合には、スタックアッシーとロアケースの位置決め状態を保持するための装置（以下、位置決め装置と呼ぶ）が一般的に用いられている。
【０００４】
しかしながら、ロアケースがより大型のものになると、作業者によるロアケースを持ち上げる作業が困難になるとともに、位置決め装置の能力（挟持力）を増強する必要が生じる。
このため、より大型のロアケースに対応するべく、スタックアッシーとロアケースの間に中間部材（ブラケット）を設けて、ブラケットを介して、スタックアッシーとロアケースを締結する技術が開発されるに至っており、例えば、以下に示す特許文献１にその技術が開示され公知となっている。
【先行技術文献】
【特許文献】
【０００５】
【特許文献１】特開２００６−１８５８１５号公報
【発明の概要】
【発明が解決しようとする課題】
【０００６】
しかしながら、特許文献１に開示されている従来技術に係る電池パックにおいて、ブラケットの組み付け態様は、スタックアッシーの２箇所の側面にブラケットを取り付ける態様としている。この場合、一対のブラケットを取り付けるために２方向（両側面側）から組み付け作業を行う必要がある。
【０００７】
このように、特許文献１の開示技術は、スタックアッシーにおけるロアケースを締結する下面を側面（作業者と相対する方向）に向けて、下面方向からのみ作業をできるものではないため、１方向からの組み付け作業を実現するには至っていない。
【０００８】
ここで、スタックアッシーの下面を側方（作業者と相対する方向）に向けて保持している態様では、スタックアッシーの下面にブラケットを位置決めしつつ保持するのが困難である。特に、スタックアッシーが大型化すると、それに伴いブラケットも大型化するため、位置決めしつつ保持するのがより困難になる。
このため、スタックアッシーに対してブラケットを位置決めした状態を保持するための手段が必要になるが、従来ロアケースの位置決めに用いていた位置決め装置をブラケット用として用いるには大掛かり過ぎるし、また、ブラケットとロアケースでは形状が異なるため、従来の位置決め装置をそのままブラケット用に転用することは困難であった。
【０００９】
本発明は、斯かる現状の課題を鑑みてなされたものであり、スタックアッシーに対するブラケットの組み付け作業の更なる容易化を図るべく、スタックアッシーの下面へのブラケットの位置決めを簡易に行うことを可能にした電池パック用ブラケットの組み付け方法、および当該組み付け方法に用いる組み付け用治具を提供することを目的としている。
【課題を解決するための手段】
【００１０】
本発明の解決しようとする課題は以上の如くであり、次にこの課題を解決するための手段を説明する。
【００１１】
即ち、請求項１においては、１又は複数の単電池からなる単位電池を複数接続して形成された組電池を有するスタックアッシーに、前記スタックアッシーと電池ケースとの間に固定されるブラケットを、組み付ける組み付け方法であって、前記スタックアッシーの下面の一端部の所定位置に第一のブラケットを位置決めして配置し、治具に対して第二のブラケットを保持させるとともに、前記スタックアッシーに対して前記治具を位置決めして保持させることにより、前記スタックアッシーの下面の他端部の所定位置に第二のブラケットを位置決めして配置し、かつ、前記治具を前記第一のブラケットの前記スタックアッシーの位置する面と反対側の面に当接させた状態で、前記スタックアッシーの下面に前記第一および第二のブラケットを締結するものである。
【００１２】
請求項２においては、前記治具は、磁石により構成される保持手段を備え、前記スタックアッシーを、前記保持手段で磁着することにより、前記治具を前記スタックアッシーに対して位置決めして保持させるものである。
【００１３】
請求項３においては、前記治具は、前記第二のブラケットを保持するための位置決めピンを備え、前記第二のブラケットに形成された孔に前記位置決めピンを挿通することにより、前記第二のブラケットを前記治具に対して位置決めして保持させるものである。
【００１４】
請求項４においては、１又は複数の単電池からなる単位電池を複数接続して形成された組電池を有するスタックアッシーに、前記スタックアッシーと電池ケースの間に固定されるブラケットを組み付けるための組み付け用治具であって、前記スタックアッシーの所定位置に固着可能な手段である保持手段と、前記保持手段が、前記スタックアッシーの所定位置に位置決めして固着されている状態において、前記スタックアッシーの下面の一端部において位置決めして配置された第一のブラケットの前記スタックアッシーが位置する面と反対側の面に当接する部位である当接部と、前記スタックアッシーの下面の他端部において第二のブラケットを位置決めしつつ、保持するための部位である位置決め部と、を備えるものである。
【００１５】
請求項５においては、前記保持手段は、磁石により構成され、前記スタックアッシーの所定位置を磁着することにより、前記スタックアッシーに固着されるものである。
【００１６】
請求項６においては、前記位置決め部は、ボールプランジャを有する位置決めピンにより構成され、前記第二のブラケットに形成された孔に挿通することにより、前記第二のブラケットを保持するものである。
【発明の効果】
【００１７】
本発明の効果として、以下に示すような効果を奏する。
【００１８】
請求項１においては、ブラケットを位置決めしつつ保持することが困難なスタックアッシーの下面に、容易にブラケットを組み付けることができる。
特に、組み付け用治具が、第二のブラケットをスタックアッシーに位置決めして保持するとともに、第一のブラケットに当接するので、第一のブラケットをも安定して保持することができる。
【００１９】
請求項２においては、スタックアッシーに対して、組み付け用治具を容易に保持することができる。
【００２０】
請求項３においては、組み付け用治具に対して、ブラケットを容易に保持することができる。
【００２１】
請求項４においては、ブラケットを位置決めしつつ保持することが困難なスタックアッシーの下面において、ブラケットの姿勢を容易に保持することができる。これにより、容易にブラケットを組み付けることができる。
特に、位置決め部で第二のブラケットをスタックアッシーに位置決めして保持するとともに、当接部で第一のブラケットに当接することにより、第一のブラケットをも安定して保持することができる。
【００２２】
請求項５においては、スタックアッシーに対して、組み付け用治具を容易に保持することができる。
【００２３】
請求項６においては、組み付け用治具に対して、ブラケットを容易に保持することができる。
【図面の簡単な説明】
【００２４】
【図１】本発明の一実施形態に係るブラケットの組み付け方法を適用するスタックアッシーを示す模式図、（ａ）スタックアッシーの全体構成を示す斜視模式図、（ｂ）組み付け状態に配置されたスタックアッシーを示す斜視模式図。
【図２】本発明の一実施形態に係るブラケットの組み付け方法の適用に係るスタックアッシーおよびブラケットを示す斜視模式図。
【図３】本発明の一実施形態に係る組み付け用治具の全体構成を示す模式図、（ａ）表面側から見た模式図、（ｂ）裏面側から見た模式図。
【図４】本発明の一実施形態に係る組み付け用治具の全体構成を示す斜視模式図。
【図５】位置決めピンによる下側ブラケットの位置決め状態を示す模式図。
【図６】保持手段による磁着部に対する組み付け用治具の保持状態を示す模式図。
【図７】スタックアッシーに対する上側ブラケットの配置状態を示す模式図、（ａ）斜視模式図、（ｂ）図７（ａ）におけるＡ部の詳細図。
【図８】組み付け用治具における下側ブラケットの保持状態を示す斜視模式図。
【図９】スタックアッシーに対する組み付け用治具および下側ブラケットの位置決め状態を示す斜視模式図。
【図１０】スタックアッシーに対する下側ブラケットの配置状態を示す模式図、（ａ）ダボによる位置決め状態を示す図９におけるＢ部の詳細図、（ｂ）爪による位置決め状態を示す図９におけるＣ部の詳細図。
【図１１】スタックアッシーに対する組み付け用治具によるブラケットの保持状態を示す斜視模式図。
【図１２】図１１におけるＤ部の詳細図。
【発明を実施するための形態】
【００２５】
次に、発明の実施の形態を説明する。
まず始めに、本発明の一実施形態に係る組み付け用治具を用いたブラケットの組み付け方法を適用する対象たるスタックアッシーおよびブラケットについて、図１および図２を用いて説明をする。
尚、図１（ａ）（ｂ）および図２において、スタックアッシーは、その下面を側方に向けた姿勢にて保持されている。また、図１（ａ）（ｂ）中および図２中に記載した矢印Ｘが示す方向は、組み付け状態に配置されたスタックアッシーおよびブラケットにおける上方を示している（以下、同様とする）。
【００２６】
図１（ａ）に示す如く、本発明の一実施形態に係る組み付け用治具を用いたブラケットの組み付け方法の適用対象たるスタックアッシー２０は、１又は複数の単電池からなる単位電池２１・２１・・・を複数積層して形成されるものであり、積層方向における両端部に位置する各単位電池２１・２１に隣接させて一対のエンドプレート２２・２３を配置している。
【００２７】
各エンドプレート２２・２３は、連結部材２４・２４・・・により連結されており、連結部材２４・２４・・・に対する各エンドプレート２２・２３の螺合位置を変更することによって、各エンドプレート２２・２３の離間距離を調整することができる構成としている。
そして、各エンドプレート２２・２３の離間距離を小さくして、各単位電池２１・２１・・・を積層方向に向けて挟圧することにより、各単位電池２１・２１・・・の積層状態を保持する構成としている。
【００２８】
ブラケットの組み付け状態において、スタックアッシー２０は、図１（ｂ）に示すように、仮留めクランプ７・７によって挟持されることによって、その下面２０ａを側方に向けた姿勢を保持するようにしており、作業者は下面２０ａに対面する位置で組み付け作業を行う構成としている。
【００２９】
組み付け状態における下面２０ａの上部（側面２０ｂ側）には、ブラケットを組み付けるための複数のボルト孔２１ａ・２１ａ・・・が形成されており、また、下面２０ａの組み付け状態における下部（側面２０ｃ側）には、ブラケットを組み付けるための複数のボルト孔２１ｂ・２１ｂ・・・が形成されている。
一方のエンドプレート２２におけるスタックアッシー２０の下面２０ａに相当する面の上端部には、ダボ２２ａが突出しており、他方のエンドプレート２３におけるスタックアッシー２０の下面２０ａに相当する面の下端部には、ダボ２３ａが突出している。
また、一方のエンドプレート２２におけるスタックアッシー２０の側面２０ｃに相当する面の下面側端部には、爪２２ｂが形成され、他方のエンドプレート２３におけるスタックアッシー２０の側面２０ｂに相当する面の下面側端部には、爪２３ｂが形成されている。
尚、組み付け状態におけるスタックアッシー２０は、作業者の作業性等を考慮して、作業者側に若干前傾させる態様で保持するのが好適である。
【００３０】
また、図２に示す如く、本発明の一実施形態に係るブラケットの組み付け方法の適用対象たるブラケット９は、組み付け状態における下面２０ａの上部（側面２０ｂ側）に配置されるブラケットである上側ブラケット１０と、組み付け状態における下面２０ａの下部（側面２０ｃ側）に配置されるブラケットである下側ブラケット１１により構成している。
【００３１】
また、上側ブラケット１０には、下面２０ａの上方に配置された複数のボルト孔２１ａ・２１ａ・・・に対応する孔１０ａ・１０ａ・・・が形成されており、また、下側ブラケット１１には、下面２０ａの下方に配置された複数のボルト孔２１ｂ・２１ｂ・・・に対応する孔１１ａ・１１ａ・・・が形成されている。
【００３２】
さらに、上側ブラケット１０には、ダボ２２ａに対応するダボ孔１０ｃと、爪２３ｂに対応するフック１０ｄが形成されており、また、下側ブラケット１１には、ダボ２３ａに対応するダボ孔１１ｃと、爪２２ｂに対応するフック１１ｄが形成されている。
またさらに、下側ブラケット１１には、組み付け用治具によって係止される部位となる位置決め孔１１ｅ・１１ｅが形成されている。
【００３３】
そして、上側ブラケット１０は、ダボ孔１０ｃにダボ２２ａを挿通しつつ、フック１０ｄを爪２３ｂに係合させることによって、各孔１０ａ・１０ａ・・・がボルト孔２１ａ・２１ａ・・・に対応するように、下面２０ａの上方における所定位置に位置決めすることができる。
【００３４】
また同様に、下側ブラケット１１は、ダボ孔１１ｃにダボ２３ａを挿通しつつ、フック１１ｄを爪２２ｂに係合させることによって、各孔１１ａ・１１ａ・・・がボルト孔２１ｂ・２１ｂ・・・に対応するように、下面２０ａの下方における所定位置に位置決めすることができる。
【００３５】
上側ブラケット１０は、ダボ孔１０ｃにダボ２２ａを挿通しつつ、フック１０ｄを爪２３ｂに係合させただけでは不安定な配置状態となっており、前方に向けて容易に傾倒する可能性がある。
また、下側ブラケット１１も、ダボ孔１１ｃにダボ２３ａを挿通しつつ、フック１１ｄを爪２２ｂに係合させただけでは不安定な配置状態となっており、容易に脱落する可能性がある。
【００３６】
このため、本発明に係るブラケットの組み付け方法においては、下面２０ａを側方に向けつつ保持された状態のスタックアッシー２０の下面２０ａに対して、所定位置（上方および下方）に配置された各ブラケット１０・１１を容易に保持することができる治具（組み付け用治具）を用いる構成としている。
【００３７】
次に、本発明の一実施形態に係るブラケットの組み付け方法に用いる組み付け用治具の全体構成について、図３〜図６を用いて説明をする。
尚、図３（ａ）（ｂ）および図４に記載した矢印Ｘの方向は、組み付け用治具の使用状態における上方を示しており、スタックアッシー２０の組み付け状態における上方と一致している。
【００３８】
本発明の一実施形態に係る組み付け用治具１は、本発明の一実施形態に係るブラケットの組み付け方法において用いられるものであり、図３（ａ）（ｂ）および図４に示す如く、基部２ａ、ブラケット押さえ部２ｂ・２ｂ、ブラケット保持部２ｃ・２ｃ等を有するプレート２、保持手段３・３、位置決め部４・４、取手部６等を備えている。
【００３９】
尚、以下の説明では、図３（ａ）において表されている、取手部６が付設されている側の面を、組み付け用治具１の表面１ａと規定し、また、図３（ｂ）において表されている、表面１ａと反対側の面を裏面１ｂと規定する。
そして、組み付け用治具１の使用状態において、作業者は、取手部６を把持して、表面１ａが作業者と対面した状態で、裏面１ｂスタックアッシー２０に対面させて、組み付け用治具１を使用する構成としている。
【００４０】
プレート２は、組み付け用治具１の骨格を形成する部材であり、基部２ａ、ブラケット押さえ部２ｂ・２ｂ（請求項における当接部に相当）、ブラケット保持部２ｃ・２ｃ等が形成されている。
尚、プレート２は、各ブラケット１０・１１を押圧するのに必要な剛性を確保しつつ、作業者が容易に取り扱えるようにすべく軽量化を図るため、樹脂製プレート等の素材を採用するのが好適である。
【００４１】
ブラケット押さえ部２ｂ・２ｂは、スタックアッシー２０の上部に配置された上側ブラケット１０を押圧するための部位であり、基部２ａから組み付け用治具１の使用状態における上方に向けて左右一対で突設されている。
また、各ブラケット押さえ部２ｂ・２ｂには、上側ブラケット１０を押圧している状態において、上側ブラケット１０に形成された各孔１０ａ・１０ａ・・・の位置に相当する箇所に切欠き部２ｄ・２ｄが形成されており、各ブラケット押さえ部２ｂ・２ｂにより各孔１０ａ・１０ａ・・・を塞いでしまうことがないようにしている。
【００４２】
また、ブラケット保持部２ｃ・２ｃは、スタックアッシー２０の下部に下側ブラケット１１を保持するための部位であり、基部２ａから組み付け用治具１の使用状態における下方に向けて左右一対で突設されている。
各ブラケット保持部２ｃ・２ｃには、各ブラケット保持部２ｃ・２ｃにより下側ブラケット１１を保持するための位置決め部４・４が、裏面１ｂ側の各ブラケット保持部２ｃ・２ｃに突設されている。
【００４３】
図５に示す如く、位置決め部４は、組み付け用治具１に対する下側ブラケット１１の配置を位置決めするための部位であり、ブラケット保持部２ｃに対してボルトにより固定された基部４ａと、該基部４ａに突設される位置決めピン４ｂ等を備えている。位置決めピン４ｂは、組み付け用治具１の裏面１ｂ側に突出している。
そして、図５に示す如く、位置決めピン４ｂ・４ｂを、下側ブラケット１１の位置決め孔１１ｅ・１１ｅに挿通することによって、ブラケット保持部２ｃ・２ｃにおいて下側ブラケット１１を位置決めしつつ保持することができる構成としている。
【００４４】
また、位置決めピン４ｂの外周面には、ボールプランジャ５が備えられている。
ボールプランジャ５は、定常時において、位置決めピン４ｂの外周面から突出している部位である略半球状の係止部５ａを備えており、位置決めピン４ｂにおける係止部５ａの突出部においては、その外形寸法が、下側ブラケット１１に形成される位置決め孔１１ｅの内径寸法に比して大きくなっている。
【００４５】
また係止部５ａには、位置決めピン４ｂの内部においてバネ等からなる弾性部材５ｂが介設されている。このため係止部５ａは、押圧されることによって位置決めピン４ｂの内部に没入するとともに、押圧が解除されることによって、位置決めピン４ｂの外周面から突出する状態に復元される。
そして、係止部５ａが位置決めピン４ｂ内に没入している状態では、係止部５ａの存在する部位における位置決めピン４ｂの外形寸法が、下側ブラケット１１に形成される孔１１ａの内径寸法以下になる構成としている。
【００４６】
このような構成により、位置決めピン４ｂを下側ブラケット１１に形成されている各孔１１ａ・１１ａに対して、表面側から裏面側へ挿通するときには、係止部５ａが各孔１１ａ・１１ａの内周面により押圧されて、位置決めピン４ｂの内部に没入するため、位置決めピン４ｂが孔１１ａに対して挿通可能となる。
【００４７】
また、係止部５ａが各孔１１ａ・１１ａを通過して下側ブラケット１１の裏面側まで到達したときには、係止部５ａが位置決めピン４ｂの外周面から突出する状態に復元される。
そして、位置決めピン４ｂの係止部５ａのある部位では、位置決めピン４ｂの外形寸法が孔１１ａの内径寸法に比して大きくなるため、係止部５ａによって下側ブラケット１１を係止することができ、下側ブラケット１１が位置決めピン４ｂ・４ｂから容易に抜けることを防止する。
このような構成により、組み付け用治具１（より詳しくは、ブラケット保持部２ｃ・２ｃ）において、下側ブラケット１１を容易に着脱可能としつつ、確実に保持することができる。
【００４８】
また、各ブラケット保持部２ｃ・２ｃには、下側ブラケット１１を保持している状態において、下側ブラケット１１に形成された各孔１１ａ・１１ａ・・・の位置に相当する箇所に切欠き部２ｄ・２ｄが形成されており、各ブラケット保持部２ｃ・２ｃにより各孔１１ａ・１１ａ・・・を塞いでしまうことがないようにしている。
【００４９】
保持手段３は、組み付け用治具１をスタックアッシー２０に対して位置決めしつつ保持するための部位であって、裏面１ｂ側における基部２ａの左右各端部に一対で突設されるマグネット３ａを備えている。
マグネット３ａは、図６に示す如く、スタックアッシー２０を保持するための仮留めクランプ７（図１（ｂ）参照）の一部に形成された磁性体からなる磁着部７ａに磁着されることによって、スタックアッシー２０に対して組み付け用治具１を位置決めしつつ保持することができる。
【００５０】
尚、本実施形態では、略六角柱状の形態を有するマグネット３ａを例示しているが、本発明に係る組み付け用治具が備えるマグネットの形態をこれに限定するものではない。
また、本実施形態では、磁着部７ａを磁性体により構成するとともに、組み付け用治具１に磁力を有するマグネット３ａを設ける構成としているが、仮留めクランプ７側にマグネットや電磁石等を配置する構成（組み付け用治具側には磁性体のみを配置する）とすることも可能である。
【００５１】
またマグネット３ａは、プレート２に対してボルトの突出長さを調整可能に構成しているアジャスター３ｂを介して固定されている。このため、マグネット３ａは、プレート２からの離間距離を調整することができる。
そして、アジャスター３ｂでマグネット３ａとプレート２の離間距離を調整することにより、上側ブラケット１０に対するブラケット押さえ部２ｂ・２ｂの沿わせ具合や、ブラケット保持部２ｃ・２ｃにおいて保持されている下側ブラケット１１の、スタックアッシー２０に対する押し付け具合等を調整することができる。
【００５２】
次に、本発明の一実施形態に係る組み付け用治具１を用いたブラケット９の組み付け方法について、図７〜図１２を用いて説明をする。
図７（ａ）に示す如く、組み付け用治具１を用いたブラケット９の組み付け方法では、まず始めに、仮留めクランプ７・７により所定の姿勢に保持されたスタックアッシー２０に対して、その下面２０ａの上部における所定位置に、上側ブラケット１０を配置して準備をしておく。
【００５３】
このとき、上側ブラケット１０は、ダボ孔１０ｃにエンドプレート２２のダボ２２ａを挿通するとともに、図７（ｂ）に示すように、フック１０ｄをエンドプレート２３の爪２３ｂに係合させることによって、所定の位置に位置決めするようにしている。
これにより、上側ブラケット１０に形成された各孔１０ａ・１０ａ・・・が、スタックアッシー２０に形成された各ボルト孔２１ａ・２１ａ・・・に対応する位置（作業者の視線方向において略一致する位置）に配置される。
【００５４】
一方、図８に示す如く、組み付け用治具１は、そのブラケット保持部２ｃ・２ｃに備えられる各位置決めピン４ｂ・４ｂを、下側ブラケット１１の位置決め孔１１ｅ・１１ｅに挿通させることによって、下側ブラケット１１を保持させた状態で準備しておく。
【００５５】
即ち、本発明の一実施形態に係る電池パックにおけるブラケットの組み付け方法において、組み付け用治具１は、下側ブラケット１１を保持するための位置決めピン４ｂ・４ｂを備え、下側ブラケット１１に形成された位置決め孔１１ｅ・１１ｅに位置決めピン４ｂ・４ｂを挿通することにより、下側ブラケット１１を組み付け用治具１に対して位置決めして保持させるものである。
【００５６】
また、本発明の一実施形態に係るブラケットの組み付け方法に用いる組み付け用治具１において、位置決め部４は、ボールプランジャ５を有する位置決めピン４ｂにより構成され、下側ブラケット１１に形成された位置決め孔１１ｅ・１１ｅに挿通することにより、下側ブラケット１１を保持するものである。
このような構成により、組み付け用治具１に対して、ブラケット９（上側ブラケット１０および下側ブラケット１１）を容易に保持することができる。
【００５７】
次に、図９および図１０に示す如く、作業者は、取手部６を把持しながら組み付け用治具１を下面２０ａに向けて沿わせるように移動させて、下側ブラケット１１のダボ孔１１ｃにエンドプレート２３のダボ２３ａを挿通しつつ、フック１１ｄをエンドプレート２２の爪２２ｂに係合させるように、組み付け用治具１を配置する。
そして、下側ブラケット１１のダボ孔１１ｃやフック１１ｄを利用して、組み付け用治具１が所定位置に配置されるとき、組み付け用治具１が備える各マグネット３ａ・３ａが、磁着部７ａ・７ａに着磁される所定位置に配置され、組み付け用治具１がスタックアッシー２０に対して位置決めした状態で保持される。
【００５８】
するとこのとき、図１１および図１２に示すように、上側ブラケット１０には、組み付け用治具１のブラケット押さえ部２ｂ・２ｂが当接するため、傾倒することがない安定した配置状態が保持される。
また、下側ブラケット１１は、組み付け用治具１のブラケット保持部２ｃ・２ｃ（位置決めピン４ｂ・４ｂ）によって保持されているため、容易に脱落等することがない安定した配置状態が保持される。
【００５９】
即ち、本発明の一実施形態に係る電池パックにおけるブラケットの組み付け方法において、組み付け用治具１は、磁石により構成される保持手段３を備え、スタックアッシー２０を、マグネット３ａで磁着することにより、組み付け用治具１をスタックアッシー２０に対して位置決めして保持させるものである。
【００６０】
また、本発明の一実施形態に係るブラケットの組み付け方法に用いる組み付け用治具１において、保持手段３は、磁石たるマグネット３ａにより構成され、スタックアッシー２０の所定位置を磁着することにより、スタックアッシー２０に固着されるものである。
このような構成により、スタックアッシー２０に対して、組み付け用治具１を容易に保持することができる。
【００６１】
そして、スタックアッシー２０に対して、組み付け用治具１によりブラケット９（上側ブラケット１０および下側ブラケット１１）が保持されている状態に至れば、作業者は、組み付け用治具１から手を離すことができる。
そして、作業者に対面する位置（目前）に、上側の各孔１０ａ・１０ａ・・・と下側の各孔１１ａ・１１ａが配置されている状態で、作業性よく、ボルト（図示せず）によりスタックアッシー２０に対するブラケット９の締結作業を行うことができる。
【００６２】
即ち、本発明の一実施形態に係る電池パックにおけるブラケットの組み付け方法においては、１又は複数の単電池からなる単位電池２１・２１・・・を複数接続して形成された組電池を有するスタックアッシー２０に、前記スタックアッシー２０と電池ケースとの間に固定されるブラケット９を、組み付ける組み付け方法であって、スタックアッシー２０の下面２０ａの一端部の所定位置に第一のブラケットたる上側ブラケット１０を位置決めして配置し、組み付け用治具１に対して第二のブラケットたる下側ブラケット１１を保持させるとともに、スタックアッシー２０に対して組み付け用治具１を位置決めして保持させることにより、スタックアッシー２０の下面２０ａの他端部の所定位置に下側ブラケット１１を位置決めして配置し、かつ、組み付け用治具１を上側ブラケット１０のスタックアッシー２０の位置する面と反対側の面に当接させた状態で、スタックアッシー２０の下面２０ａにブラケット９（各ブラケット１０・１１）を締結するものである。
【００６３】
また、本発明の一実施形態に係るブラケットの組み付け方法に用いる組み付け用治具１は、１又は複数の単電池からなる単位電池２１・２１・・・を複数接続して形成された組電池を有するスタックアッシー２０に、スタックアッシー２０と電池ケースの間に固定されるブラケット９を組み付けるための治具であって、スタックアッシー２０の所定位置に固着可能な手段である保持手段３と、保持手段３が、スタックアッシー２０の所定位置に位置決めして固着されている状態において、スタックアッシー２０の下面２０ａの一端部（各ボルト孔２１ａ・２１ａ・・・）において位置決めして配置された第一のブラケットたる上側ブラケット１０のスタックアッシー２０が位置する面と反対側の面に当接する部位である当接部たるブラケット押さえ部２ｂ・２ｂと、スタックアッシー２０の下面２０ａの他端部（各ボルト孔２１ａ・２１ａ・・・）において第二のブラケットたる下側ブラケット１１を位置決めしつつ、保持するための部位である位置決め部たる位置決めピン４ｂ・４ｂと、を備えるものである。
【００６４】
このような構成により、ブラケット９を位置決めしつつ保持することが困難なスタックアッシー２０の下面２０ａにおいて、ブラケット９の姿勢を容易に保持することができる。これにより、容易にブラケット９を組み付けることができる。
特に、位置決めピン４ｂ・４ｂで下側ブラケット１１をスタックアッシー２０に位置決めして保持するとともに、ブラケット押さえ部２ｂ・２ｂで上側ブラケット１０に当接することにより、上側ブラケット１０をも安定して保持することができる。
【００６５】
尚、本実施形態では、下面２０ａを側方に向けた状態のスタックアッシー２０に対して、その下面２０ａの上部および下部にブラケット９を組み付ける態様とした場合を例示しているが、例えば、下面２０ａを側方に向けた状態のスタックアッシー２０に対して、その下面２０ａの左右方向の両端部にブラケットを組み付ける態様とすることも可能である。
【符号の説明】
【００６６】
１      組み付け用治具
２      プレート
２ｂ    ブラケット押さえ部
２ｃ    ブラケット保持部
３      保持手段
３ａ    マグネット
４      位置決め部
４ｂ    位置決めピン
５      ボールプランジャ
９      ブラケット
１０    上側ブラケット（第一のブラケット）
１１    下側ブラケット（第二のブラケット）
１１ｅ  位置決め孔
２０    スタックアッシー
２０ａ  下面
２１    単位電池
２１ａ  ボルト孔
２１ｂ  ボルト孔
２２    エンドプレート
２２ａ  ダボ
２２ｂ  爪
２３    エンドプレート
２３ａ  ダボ
２３ｂ  爪
【図１】
0005560255.tif 000002
【図２】
0005560255.tif 000003
【図３】
0005560255.tif 000004
【図４】
0005560255.tif 000005
【図５】
0005560255.tif 000006
【図６】
0005560255.tif 000007
【図７】
0005560255.tif 000008
【図８】
0005560255.tif 000009
【図９】
0005560255.tif 000010
【図１０】
0005560255.tif 000011
【図１１】
0005560255.tif 000012
【図１２】
0005560255.tif 000013